(57)【要約】【課題】精度が高く、先端が揃った球形、その他の形状が簡単に得られる毛玉の整形定規を提供すること。【解決手段】所望とする形を形成した定規本体と、前記毛玉を前記定規本体に対して所定の位置に保持させる位置決め手段とを備え、前記毛玉を前記定規本体の所定位置に保持させた状態で、前記定規本体からはみ出した糸を裁断するようにしたことを特徴としている。【選択図】　　　　図１
2004052169.tif 000002
【特許請求の範囲】
【請求項１】
多数本の糸を束ね、それを３次元方向へ展開して略球状にした毛玉を所望の形状に整形する毛玉の整形定規であって、所望とする形を形成した定規本体と、前記毛玉を前記定規本体に対して所定の位置に保持させる位置決め手段とを備え、前記毛玉を前記定規本体の所定位置に保持させた状態で、前記定規本体からはみ出した糸を裁断するようにしたことを特徴とする毛玉の整形定規。
【請求項２】
前記位置決め手段を針棒によって構成し、該針棒の一端を前記定規本体に係止させ、該針棒を前記毛玉に差し込んで、該毛玉の位置決めを図るようにしたことを特徴とする請求項１に記載の毛玉の整形定規。
【請求項３】
前記位置決め手段として、前記針棒に加えて台座をさらに備え、該台座に前記針棒の他端を支持させるようにしたことを特徴とする請求項２に記載の毛玉の整形定規。
【請求項４】
前記定規本体を平板によって形成したことを特徴とする請求項１〜３のいずれかに記載の毛玉の整形定規。
【請求項５】
前記定規本体を格子状の立体に形成したことを特徴とする請求項１〜３のいずれかに記載の毛玉の整形定規。
【請求項６】
多数本の糸を束ね、それを３次元方向へ展開して略球状にした毛玉を所望の形状に整形する毛玉の整形定規であって、前記毛玉を櫛歯状の板体で囲繞する環状側壁体と、該環状側壁体の一端を閉塞する蓋体とを備え、前記環状側壁体と前記蓋体とによって画成される空間に前記毛玉を収容し、前記環状側壁体の櫛歯からはみ出した糸を裁断するようにしたことを特徴とする毛玉の整形定規。
【請求項７】
前記環状側壁体は、弾性を有する帯状平板によって形成され、両端部を互いに係止する係合手段を備えており、円筒状に湾曲させ、前記係合手段によって端部を互いに係止することによって環状に構成されることを特徴とする請求項６に記載の毛玉の整形定規。
【請求項８】
前記係合手段は、一方の端部に形成された複数の孔と、他方の端部に立設されたピンによって構成され、該ピンを前記複数の孔のいずれかに挿嵌させることによって端部を互いに係止することを特徴とする請求項７に記載の毛玉の整形定規。
【発明の詳細な説明】
【０００１】
【発明の属する技術分野】
本発明は、毛玉の整形定規に関するもので、詳しくは、毛玉を所望とする形状に整える整形定規に関するのである。
【０００２】
【従来の技術】
毛玉は、図１６に示したように、多数本の糸を束ね、それらの糸を３次元方向へ展開して、図１７に示したように、球状に形成したもので、装飾に使用される。
このような毛玉は、例えば、実公昭４４−２３０２４号に開示されているように、４枚１組とする２対の半環状板からなる球体形成具を使用し、２枚の半環状板を間隙をもって互いに重ね合わせた２対の組立て体にそれぞれ毛糸を巻きつけ、それらを結合して円形状にし、その外周部を挟み等によって切断した後に、前記間隙に糸を通して、毛糸を束ねることによって球形に形成される。
【０００３】
【発明が解決しようとする課題】
このように球体整形具によって形成された毛玉は、ほぼ球形に形成されるはずであるが、初心者等の場合には、ラグビーボール状になったり、毛糸の長さが不揃いになってしまう場合がある。
また、上記球体整形具によって球形には形成できるが、それを変形した形状、例えば、ハート型柱体等は各自目分量で毛糸の先端を裁断しなくてはならず、特に初心者等にとっては難しい。
【０００４】
そこで、本発明の目的は、精度が高く、先端が揃った球形、その他の形状が簡単に得られる毛玉の整形定規を提供することにある。
【０００５】
【課題を解決するための手段】
上記目的を達成するために、本発明の毛玉の整形定規は、所望とする形を形成した定規本体と、前記毛玉を前記定規本体に対して所定の位置に保持させる位置決め手段とを備え、前記毛玉を前記定規本体の所定位置に保持させた状態で、前記定規本体からはみ出した糸を裁断するようにしたことを特徴としている。
【０００６】
上記発明の毛玉の整形定規は、位置決め手段を針棒によって構成し、該針棒の一端を定規本体に係止させ、該針棒を前記毛玉に差し込んで、該毛玉の位置決めを図るようにしてもよい（請求項２）。
【０００７】
また、上記発明の毛玉の整形定規は、位置決め手段として、針棒に加えて台座をさらに備え、該台座に針棒の他端を支持させるようにしてもよい（請求項３）。
【０００８】
また、上記発明の毛玉の整形定規は、定規本体を平板によって形成しもよく（請求項４）、前記定規本体を格子状の立体に形成してもよい（請求項５）。
【０００９】
また、本発明の毛玉の整形定規は、毛玉を櫛歯状の板体で囲繞する環状側壁体と、該環状側壁体の一端を閉塞する蓋体とを備え、前記環状側壁体と前記蓋体とによって画成される空間に前記毛玉を収容し、前記環状側壁体の櫛歯からはみ出した糸を裁断するようにしたことを特徴としている。
【００１０】
上記発明の毛玉の整形定規は、前記環状側壁体を、弾性を有する帯状平板によって形成し、両端部にそれらを互いに係止する係合手段を備え、前記帯状平板を円筒状に湾曲させ、前記係合手段によって端部を互いに係止することによって環状に構成させるようにしてもよい。
【００１１】
また、上記発明の毛玉の整形定規は、前記係合手段を、一方の端部に形成された複数の孔と、他方の端部に立設されたピンによって構成し、該ピンを前記複数の孔のいずれかに挿嵌させることによって端部を互いに係止するようにしてもよい。
【００１２】
【発明の実施の形態】
図１〜図３は本発明に係る毛玉の整形定規の一実施の形態を示したもので、図１はその分解図、図２は組立てた状態を示した斜視図、図３は毛玉を収容した状態を示した断面図である。
【００１３】
この整形定規１０では、定規本体１１が、円形の天板１２と、該天板の周縁に折り曲げ可能に連接された複数本の桟１３とによって構成され、位置決め手段１４が、針棒１５と、該針棒を支持する台座１６とによって構成されている。
【００１４】
そして、天板１２の中心には針棒１５の上端を挿嵌させる孔１７が形成されている。一方、台座１６の上面中心にはボス１６ａが形成され、該ボスには針棒１５の先端を収容する凹部１８が形成されている。さらに、台座１６の周面には、桟１３の先端を係止する溝１９が形成されている。
【００１５】
このように構成された整形定規１０は、針棒１５の先端を台座１６の凹部１８に挿嵌させて、針棒１５を台座１６に立設する。次いで、天板１２の孔１７を針棒１５に嵌着させ、桟１３の先端を台座１６の溝１９に嵌着させ、図２に示したように籠体を形成する。
【００１６】
この整形定規１０は、以下のように使用される。上記した組み立て手順の最初において、毛玉Ａの中心を通るように針棒１５を突き刺し、該針棒の先端を台座１６に立設する。すると、毛玉Ａは、図３に示したように、天板１２、台座１６、桟１３とによって画成される空間に位置決めされる。この状態において、桟１３からはみ出た糸を鋏等によって裁断する。
次いで、整形定規１０を分解し、毛玉Ａの他の位置から毛玉の中心を通るように針棒１５を突き刺し、再び整形定規１０を組み立て、上記と同様にして桟１３からはみ出た糸を鋏等によって裁断する。
このような作業を繰り返すことによって、糸の先端が揃えられ、かつより精度の高い球状の毛玉Ａが得られる。
【００１７】
図４および図５は、本発明に係る毛玉の整形定規の他の実施の形態を示したものである。
【００１８】
この整形定規２０では、定規本体２１が、複数本の桟２２によって半球形に形成され、位置決め手段２３が、針棒２４と、該針棒を支持する台座２５とによって構成されている。
【００１９】
そして、定規本体２１の頂部には針棒２４の上端を挿嵌させる孔２６が形成されている。一方、台座２５の上面中心にはボス２５ａが形成され、該ボスには針棒２４の先端を収容する凹部２７が形成されている。
【００２０】
このように構成された整形定規２０は、針棒２４の先端を台座２５の凹部２７に挿嵌させて、針棒２４を台座２５に立設する。次いで、定規本体２１の孔２６を針棒２４に嵌着させ、図４に示したように籠体を形成する。
【００２１】
この整形定規２０は、以下のように使用される。上記した組み立て手順の最初において、毛玉Ａの中心を通るように針棒２４を突き刺し、該針棒の先端を台座２５に立設する。すると、毛玉Ａの上半部は、図５に示したように、定規本体２１内に位置決めされる。この状態において、桟２２からはみ出た糸を鋏等によって裁断する。
次いで、整形定規２０を分解し、毛玉Ａの他の位置から毛玉の中心を通るように針棒２４を突き刺し、再び整形定規を組み立て、上記と同様にして桟２２からはみ出た糸を鋏等によって裁断する。
このような作業を繰り返すことによって、糸の先端が揃えられ、かつより精度の高い球状の毛玉Ａが得られる。
【００２２】
図６および図７は、本発明に係る毛玉の整形定規のさらに他の実施の形態を示している。
【００２３】
この整形定規３０では、定規本体３１が所望とする形状（この実施の形態では、ハート形）に模られた平板３２によって形成され、位置決め手段３３が、針棒３４と、該針棒を支持する台座３５とによって構成されている。
【００２４】
そして、定規本体３１の頂部には針棒３４の上端を挿嵌させる孔３６が形成されている。一方、台座３５の上面中心にはボス３５ａが形成され、該ボスには針棒３４の先端を収容する凹部３７が形成されている。
【００２５】
このように構成された整形定規３０は、針棒３４の先端を台座３５の凹部３７に挿嵌させて、針棒３４を台座３５に立設する。次いで、定規本体３１の孔３６を針棒３４に嵌着させ、図６に示したように立体を形成する。
【００２６】
この整形定規３０は、以下のように使用される。上記した組み立て手順の最初において、毛玉Ａの中心を通るように針棒３４を突き刺し、該針棒の先端を台座３５に立設する。すると、毛玉Ａは、図７に示したように、定規本体３１の平板３２と台座３５との間に位置決めされる。この状態において、定規本体３１からはみ出た糸を鋏等によって裁断する。
【００２７】
なお、上記実施の形態では、位置決め手段として、台座を備えている。これは、整形定規をテーブル等に載置させて作業を行うためのものであり、成形定規を手に持って作業を行う場合には、必ずしも必要としない。また、針棒は毛玉を定規本体に対して位置決めするためのもので、毛玉を突き通して位置決めしなくても、毛玉の周囲を包むようにして位置決めを図るようにしてもよい。
【００２８】
図８〜図１２は、本発明に係る毛玉の整形定規のさらに他の実施の形態を示している。
【００２９】
この整形定規４０では、環状側壁体４１と、該環状側壁体の一端を閉塞する蓋体４２とによって構成されている。
【００３０】
環状側壁体４１は、図８に示したように、櫛歯部を有する平板によって形成され、端部に係合手段４３を備えている。そして、係合手段４３は、一方の端部に形成した孔４３ａと、他方の端部に立設させたピン４３ｂとによって構成されている。
そして、環状側壁体４１は、平板の環状側壁体４１を湾曲させ、ピン４３ｂを孔４３ａに挿嵌させることによって筒状に形成される。
なお、この実施の形態では、孔４３ａを３個形成し、ピン４３ｂを２個立設させ、孔４３ａを選択してピン４３ｂを挿嵌させることによって、図９および図１０に示したように、異なる２種類の径の環状側壁体４１ａ，４１ｂが得られるようにしており、それに対応させて異なる２種類の径の蓋体４２ａ，４２ｂを用意している。
【００３１】
このように構成された整形定規４０は、平板の環状側壁体４１を湾曲させ、ピン４３ｂを孔４３ａに挿嵌させることによって筒状に形成し、その一端開口に蓋体４２を被せて立体を形成する。
【００３２】
そして、この整形定規４０では、図１１および図１２に示したように、筒状に形成された環状側壁体４１（４１ａ，４１ｂ）と蓋体４２（４２ａ，４２ｂ）とによって画成される空間４４に毛玉Ａを収容し、毛玉Ａを空間４４内で自由に回転させて姿勢を変更しながら環状側壁体４１の櫛歯からはみ出した糸を裁断する。
【００３３】
なお、上記実施の形態では、係合手段４３として孔４３ａを３個形成し、ピン４３ｂを２本立設している。これは、２種類の径の筒体を形成することと、係止箇所を２箇所にすることによって円筒度を高めようとしたためであり、ピン４３ｂの数は１本でもよく、また孔４３ａの数はピン４３ａの数と同数であってもよく、それ以上であってもよいことは勿論である。
また、係合手段４３は、孔４３ａとピン４３ｂに限らず、爪と切欠き，ファスナー，粘着テープ等を採用してもよい。
【００３４】
また、図１３に示す整形定規５０は、位置決め棒５１と、この位置決め棒５１から垂れ下がる弧状の定規部５２とから構成されている。この整形定規５０では、毛玉の中心を通るように位置決め棒５１を突き刺し、整形定規５０の定規部５２からはみ出た糸を鋏等によって裁断することにより、毛玉の整形ができる。
【００３５】
図１４に示す整形定規６０は、矩形の平板６１の中央に長尺の位置決め棒６２を立て、その脇に短尺の他の位置決め棒６３を立てたものである。この整形定規６０では、毛玉の中心を通るように位置決め棒６１を突き刺すと、他の位置決め棒６３も毛玉に食い込み、毛玉の回転が防止される。この状態で、平板６１からはみ出た糸を鋏等によって裁断することにより、毛玉の整形ができる。
【００３６】
図１５に示す整形定規７０は、ハート形の平板７１に位置決め棒７２と、２つの短尺の他の位置決め棒７３を立てたものである。この整形定規７０では、毛玉の中心を通るように位置決め棒７１を突き刺すと、他の位置決め棒７３も毛玉に食い込み、毛玉の回転が防止される。この状態で、平板７１からはみ出た糸を鋏等によって裁断することにより、毛玉の整形ができる。
【００３７】
【発明の効果】
本発明の毛玉の整形定規によれば、定規本体の形状に倣って毛玉の糸の先端を裁断するため、先端が揃った球形、その他の形状が精度よく簡単に得られる。
【図面の簡単な説明】
【図１】本発明に係る毛玉の整形定規の一実施の形態を示した分解図である。
【図２】図１の定規の組立てた状態を示した斜視図である。
【図３】図２の整形定規に毛玉を収容した状態を示した断面図である。
【図４】本発明に係る毛玉の整形定規の他の実施の形態を示した斜視図である。
【図５】図４の整形定規に毛玉を収容した状態を示した断面図である。
【図６】本発明に係る毛玉の整形定規のさらに他の実施の形態を示した斜視図である。
【図７】図６の整形定規に毛玉を収容した状態を示した断面図である。
【図８】本発明に係る毛玉の整形定規のさらに他の実施の形態を示した斜視図である。
【図９】図８に示した環状側壁体で大きな径の筒体を形成した状態を示した斜視図である。
【図１０】図８に示した環状側壁体で小さな径の筒体を形成した状態を示した斜視図である。
【図１１】図９の毛玉の整形定規に大径の毛玉を収容した状態を示した断面図である。
【図１２】図１０の毛玉の整形定規に小径の毛玉を収容した状態を示した断面図である。
【図１３】他の整形定規の斜視図である。
【図１４】さらに他の整形定規の斜視図である。
【図１５】さらに他の整形定規の斜視図である。
【図１６】毛玉の作成方法を説明した断面図である。
【図１７】毛玉の斜視図である。
【符号の説明】
１０　　　整形定規
１１　　　定規本体
１２　　　天板
１３　　　桟
１４　　　位置決め手段
１５　　　針棒
１６　　　台座
１６ａ　　　凹部
１７　　　孔
１８　　　凹部
１９　　　溝
２０　　　整形定規
２１　　　定規本体
２２　　　桟
２３　　　位置決め手段
２４　　　針棒
２５　　　台座
２５ａ　　　ボス
２６　　　孔
２７　　　凹部
３０　　　整形定規
３１　　　定規本体
３２　　　平板
３３　　　位置決め手段
３４　　　針棒
３５　　　台座
３５ａ　　　ボス
３６　　　孔
３７　　　凹部
４０　　　整形定規
４１　　　環状側壁体
４２　　　蓋体
４３　　　係合手段
４３ａ　　　孔
４３ｂ　　　ピン
４４　　　空間
Ａ　　　毛玉
５０、６０，７０　　整形定規
【図１】
2004052169.tif 000003
【図２】
2004052169.tif 000004
【図３】
2004052169.tif 000005
【図４】
2004052169.tif 000006
【図５】
2004052169.tif 000007
【図６】
2004052169.tif 000008
【図７】
2004052169.tif 000009
【図８】
2004052169.tif 000010
【図９】
2004052169.tif 000011
【図１０】
2004052169.tif 000012
【図１１】
2004052169.tif 000013
【図１２】
2004052169.tif 000014
【図１３】
2004052169.tif 000015
【図１４】
2004052169.tif 000016
【図１５】
2004052169.tif 000017
【図１６】
2004052169.tif 000018
【図１７】
2004052169.tif 000019